(57)【特許請求の範囲】
【請求項１】
内周面に係合手段を設けたキャップ筒体と、蓋体と、該蓋体と上記キャップ筒体とを一体に連結する薄膜状ヒンジとを備え、さらに閉蓋時、上記蓋体の裏面側であって、かつ、キャップ筒体の内面側に位置する断面Ｕ字状の弾性板バネが、上記蓋体と上記キャップ筒体とに、それぞれ薄肉ヒンジを介して一体に連結された容器用キャップにおいて、上記弾性板バネの上記キャップ筒体に近接した曲面に対向して位置する作動舌片を、上記キャップ筒体の切欠開口部内に一体に立ち上げ、上記作動舌片の横方向への押圧動作により上記弾性板バネを介して上記蓋体を跳ね上げ可能にしたことを特徴とする容器用キャップ。
【請求項２】
作動舌片の内側に弾性板バネを押圧可能な凸部を設けた請求項１記載の容器用キャップ。
【発明の詳細な説明】
【０００１】
【発明の属する技術分野】
この発明は、塩、胡椒などの粉体用容器またはチューブ容器等のキャップに関するものである。
【０００２】
【従来の技術】
図６は、従来公知の容器用キャップである。１は内周面に容器６との係合手段を設けたキャップ筒体、２はシール用の脚部３と凹面２ａを有する蓋体で両者は薄膜状ヒンジ４により一体に連結されている。５は断面Ｕ字状の弾性板バネで、上記蓋体３と上記キャップ筒体１とに、それぞれ薄肉ヒンジ５ａ，５ｂを介して一体に連結されている。
【０００３】
この公知の容器用キャップの蓋を開けるには、右手で容器６を持ち、左手指を凹面２ａに引っ掛けて蓋体２を薄膜状ヒンジ４を中心として回動させると脚部３は容器の上端口部より外れて跳ね上げられ、この際曲面を有する弾性板バネ５の弾撥力によって蓋は最大回動角度まで回動する。
【０００４】
【発明が解決しようとする課題】
しかしながら、上記のように公知の容器用キャップの蓋を開けるには、右手で容器を持ち、左手で蓋の解放を行うため、常に両手を必要とするので、片手で操作が出来ず、例えば塩、胡椒などの粉体用容器を扱う際にも不便であった。
【０００５】
本発明は上記問題を解決するためになされたもので、容器を持った手の指先の押動動作で蓋体の開放が可能な容器用キャップを提供することを目的としている
。
【０００６】
【課題を解決するための手段】
本発明は上記目的を達成するためになされたもので、請求項１記載の容器用キャップは、内周面に係合手段を設けたキャップ筒体と、蓋体と、該蓋体と上記キャップ筒体とを一体に連結する薄膜状ヒンジとを備え、さらに閉蓋時上記蓋体の裏面側であって、かつ、キャップ筒体の内面側に位置する断面Ｕ字状の弾性板バネが、上記蓋体と上記キャップ筒体とに、それぞれ薄肉ヒンジを介して一体に連結された容器用キャップにおいて、上記弾性板バネの上記キャップ筒体に近接した曲面に対向して位置する作動舌片を、上記キャップ筒体の切欠開口部内に一体に立ち上げ、上記作動舌片の横方向への押圧動作により上記弾性板バネを介して上記蓋体を跳ね上げ可能にしたことを特徴とするものである。
【０００７】
【発明の実施の形態】
作動舌片の内側に弾性板バネを押圧可能な凸部を設け指先の最小ストロークで弾性板バネを押圧し、蓋体を撥ね上げることができる。
【０００８】
【実施例】
本発明の実施例を図１〜図５により説明する。
容器１５の吐出口１１には、合成樹脂製の容器用キャップ２０が設けられている。このキャップ２０の材料は必要に応じて適宜選択されるものである。
【０００９】
このキャップ２０は、吐出口１１に固定されるキャップ筒体２２と、該キャップ筒体２２と薄膜状ヒンジ２３ａ，２３ｂを介して連結された蓋体２４と、から構成されている。このヒンジ２３ａ，２３ｂは間隔をあけて互いに平行に設けられ、且つ、両ヒンジ間には、閉蓋時上記蓋体２４とキャップ筒体２２の上端面よりも下方において、断面Ｕ字状の曲面を有する弾性板バネ２５が位置している。
【００１０】
該弾性板バネ２５は上記蓋体２４と上記キャップ筒体２２とにそれぞれ薄肉ヒンジ２５ａ，２５ｂを介して一体に連結されている。この弾性板バネ２５と薄肉ヒンジは、ポリプロピレン樹脂の射出成型によって形成され、その分子配向特性、強度および応力とによって繰返し曲げ応力に充分に耐え、且つ弾性板バネ２５の撓み及び弾撥作用を利用することが出来る。
【００１１】
図３は本発明の容器用キャップの斜視図、図４は蓋体を跳ね上げた状態を示す要部の断面図である。これらの図面で判るように、上記弾性板バネ２５の上記キャップ筒体２２に近接した曲面に対向して位置する作動舌片４１を、上記キャップ筒体２２の切欠開口部４２内に一体に立ち上げ，更に、作動舌片４１の内側に弾性板バネ２５を押圧可能な凸部４１ａが設けられている。この凸部４１ａは必ずしも必要ではなく、また作動舌片４１の外側にボタン状に突出させてもよい。
【００１２】
キャップ筒体２２を構成する環状壁部２６は円筒状に形成され、その上端面２６ａは、平坦面で、且つ、円弧状に形成されている。図５に示すように、該環状壁部２６の内周面２６ｃには、容器１５の二段リブ１５ａに係合する係止部、例えば、張出し部２２ａが設けられている。この容器１５の吐出口１１はポリエチレンで形成されている。
【００１３】
前記蓋体２４は、円板状の天板３０によって構成されている。この天板３０は、キャップ筒体２２の環状壁部２６と同心状に形成され、その上面３０ａは前記上端面２６ａと同一平面上に位置する。図２に示すように、該天板３０の下面３０ｂ中央部には、円筒状の脚部３２が立設されている。
【００１４】
該脚部３２は、大外径部３３と小外径部３４とから構成され、その外周面は段状となっている。大外径部３３の段部のシール面３３ａは、図５に示すように、前記注出し口１１の開口端面１１ｂに当接し、小外径部３４の外周面に設けたシール突部３４ａは該注出し口１１の内周面１１ｃに当接する。
従って、該注出し口１１は該シール面３３ａと該シール突部３４ａとによりシールされる。
【００１５】
該小外径部３４の先端には、テーパ部３４ｂが設けられ、このテーパ部３４ｂに前記シール突部３４ａが連続している。このシール突部３４ａは小外径部３４の外周面に設けられている。なお、前記突部３４ａのみを該注出し口１１の内周面１１ｃに当接させるので、該小外径部の全外周面を当接させる場合に比べ、開閉時の抵抗は大幅に小さくなる。従って、キャップの開閉が容易となる。
【００１６】
天板３０の上面３０ａには、中央凹部３６とリング状溝３７が形成されている。この中央凹部３６は脚部３２の裏側に位置している。
【００１７】
次に本実施例の作動につき説明する。
この容器の本体を片手で把持し、図４に示すように、人差し指で作動舌片４１を横方向に押動させると、弾性板バネ２５は凸部４１ａを介して回動させられ、この動作によって、蓋体２４は薄膜状ヒンジ２３ａ，２３ｂを中心として回動し、最大回動角度までパチンと跳ね上げられる。また、蓋体を閉じる際は、人差し指などで蓋体の天板３０を閉じる方向に回動させる。
【００１８】
注出し口１１の開口部が天板３０により閉じられ、小外径部３４のシール突部３４ａと大外径部３３のシール面３３ａとで二重にシールされているので内容物が漏出することはない。そのため、開蓋時に内容物が飛び出し、指等を汚してしまうこともない。
【００１９】
開蓋時、脚部３２が該注出し口１１から離間するが、このとき、小外径部３４は、シール突部３４ａのみが該注出し口１１の内周面１１ｃに当接しているので、比較的軽い力で開蓋動作を行うことが出来る。
【００２０】
閉蓋時、脚部３２のシール突部３４ａが該注出し口１１の内周面１１ｃを摺動しながら降下するとともに、大外径部３３の段部のシール面３３ａは該注出し口１１の開口端面１１ｃに当接する。従って、該注出し口１１は、シール面３３ａおよびシール突部３４ａによって確実にシールされる。
【００２１】
この発明の実施例は、上記に限定されるものではなく、例えば、上記実施例では環状壁を蓋体の天板と同一高さにしているので竪置保管の際安定がよくなるが、環状壁を蓋体の天板よりも低くしてもよい。
【００２２】
【発明の効果】
本発明のは、以上説明したように構成されているので、以下に記載されるような効果を奏する。
【００２３】
弾性板バネのキャップ筒体に近接した曲面に対向して位置する作動舌片を、上記キャップ筒体の切欠開口部内に一体に立ち上げたことにより、容器を保持した片方の手の指先の横方向への押圧動作で蓋体を大きく開くことが出来るから、片手操作で容器の蓋を楽に開くことが出来る。
【図面の簡単な説明】
【図１】本発明の一実施例による容器用キャップの正面図である。
【図２】図１のII−II線断面図である。
【図３】図１の斜視図である。
【図４】蓋体を跳ね上げた状態を示す要部の断面図である。
【図５】容器に本発明の容器用キャップを装着した状態を示す断面図である。
【図６】従来例を示す断面図である。
【符号の説明】
１１    吐出口（注出し口）
１１ｂ  開口端面
１１ｃ  内周面
１５    容器
１５ａ  二段リブ
２０    キャップ
２２    キャップ筒体
２２ａ  張出し部
２３ａ  薄膜状ヒンジ
２３ｂ  薄膜状ヒンジ
２４    蓋体
２５    弾性板バネ
２５ａ  薄肉ヒンジ
２５ｂ  薄肉ヒンジ
２６    環状壁部
２６ａ  上端面
２６ｃ  内周面
３０    天板
３０ａ  上面
３０ｂ  下面
３２    脚部
３３    大外径部
３３ａ  シール面
３４    小外径部
３４ａ  シール突部
３４ｂ  テーパ部
３６    中央凹部
３７    リング状溝
４１    作動舌片
４１ａ  凸部
４２    切欠開口部
【図１】
0004373523.tif 000002
【図２】
0004373523.tif 000003
【図３】
0004373523.tif 000004
【図４】
0004373523.tif 000005
【図５】
0004373523.tif 000006
【図６】
0004373523.tif 000007